(57)【要約】【課題】  足裏を温風で暖めながら同時に指圧機能をも持たせ、主に机の下の足入れ部分に設置して使用する暖房機を提供する。【解決手段】  ボックス（１）の上面板部分に足裏指圧が可能となる多数の突起（３）およびその突起（３）間の任意の箇所に多数の空気口（４）を設け、かつ同ボックス（１）にヒーター等の付いた温風機（２）を設けて一体化し、同温風機（２）からの温風を空気口（４）から吹き出すように形成したボックス（１）と、机の下の足入れ部分に収まる程度の大きさのフレーム（５）を形成し、かつ同フレーム（５）をカバー（６）で覆ってなるボックス（７）の底部に前述のボックス（１）を内蔵させることを特徴とする。【選択図】    図１
2006084167.tif 000002
【特許請求の範囲】
【請求項１】
ボックス（１）の上面板部分に足裏指圧が可能となる多数の突起（３）およびその突起（３）間の任意の箇所に多数の空気口（４）を設け、かつ同ボックス（１）にヒーター等の付いた温風機（２）を設けて一体化し、同温風機（２）からの温風を空気口（４）から吹き出すように形成したボックス（１）と、
机の下の足入れ部分に収まる程度の大きさのフレーム（５）を形成し、かつ同フレーム（５）をカバー（６）で覆ってなるボックス（７）の底部に上記のボックス（１）を内蔵させることを特徴とする足裏温風指圧機能付き暖房機。
【発明の詳細な説明】
【発明の詳細な説明】
【技術分野】
【０００１】  この発明は足裏を温風で暖めながら同時に指圧機能をも持たせ、主に机の下の足入れ部分に設置して使用する暖房機に関するものである。
【背景技術】
【０００２】  従来、暖房機は部屋全体を暖めるものが一般的であって、これらは意外に足元は暖まらないものが多く、かといって部屋の一部分とか身体の一部分とかを重点的に暖める暖房機も良いものは少なかった。よって、省エネルギー型でしかも環境や健康面などに一層配慮したこれまでにない部分暖房機が望まれていた。
【発明が解決しようとする課題】
【０００３】  したがって、これらには次のような問題点が発生していた。
（イ）  机の下の足入れ部分などの狭い空間を暖房する場合には、暖気が隅々まで行きわたりにくく、思ったようにはなかなか暖まらなかった。したがって、一番冷えて困る足の先や足裏などはなかなか温まらず、ましてや足を乾燥さそうとすればわざわざ暖房機に足をずっと向けていなければならず、暖房効率も快適性も極めて悪いものであった。
（ロ）  これまで机の下に置く適切な暖房機が少なく、特に寒い冬場に勉強や仕事をしなければならない場合、寒さのために机に向かおうとする意欲がそがれるとともに、仮に座ったとしても長時間座っていることは難しかった。
（ハ）  さらに、より一層環境や省エネルギーに配慮したものとか、より健康志向の強い部分暖房機はほとんどなかった。
本発明は、これらの欠点を解決するためになされたものである。
【課題を解決する手段】
【０００４】  ボックス（１）の上面板部分に足裏の指圧が可能となる多数の突起（３）およびその突起（３）間の任意の箇所に多数の空気口（４）を設け、かつ同ボックス（１）にヒーター等の付いた温風機（２）を設けて一体化し、同温風機（２）からの温風を空気口（４）から吹き出すように形成したボックス（１）と、
机の下の足入れ部分に収まる程度の大きさのフレーム（５）を形成し、かつ同フレーム（５）をカバー（６）で覆ってなるボックス（７）の底部に上記のボックス（１）を内蔵させる。
本発明は、以上の構成からなる足裏温風指圧機能付き暖房機である。
【発明を実施するための最良の形態】
【０００５】  以下、本発明の実施の形態について説明する。
（イ）  ボックス（１）の上面板部分には足裏指圧ができるよう長・短・細・太の種々の形状を持つ多数の突起（３）を埋め込むとともに、その突起（３）と突起（３）との間の任意の箇所に多数の空気口（４）を設ける。この場合、上面板部分のうち一部分については突起（３）または空気口（４）を設けない部分も作る。
（ロ）  同ボックス（１）の内側にヒーター等のついた温風機（２）を内設させて一体化する。なおこの場合において、温風機（２）をボックス（１）に外設させて一体化し、同ボックス（１）の内部空間を広く確保することもできる。また、この温風機（２）にはヒーターのほかに送風機、温度調節機、安全装置、タイマー、電源スイッチ（１０）等の各機能も付ける。
（ハ）  また、机下の足入れ部分に収まる程度の大きさのフレーム（５）を形成し、それ全体をカバー（６）で覆ったボックス（７）を形成する。このときカバー（６）の前側および上側はそこから足を入れやすくするために前側のカバー（６）には両サイドにそれぞれファスナー（８）を取り付けるとともに、上側のカバー（６）は簡単に手で持ち上げたり元に戻したりできるようフレーム（５）からはフリーにする。
（ニ）  次に、このボックス（７）の中に、上記の温風機（２）が内設または外設されて一体化したボックス（１）を底部に据え置くが、このボックス（１）はボックス（７）から取り出して単独で使用することができるよう着脱自在とする。
（ホ）  温風による乾燥機能を利用して洗濯物等を乾燥さす場合には、ボックス（７）の上部分のフレーム（５）の中間付近にハンガー掛棒（９）等を設けるが、このハンガー掛棒（９）は着脱自在とする。
本発明は以上のような構造でこれを使用するときは、
（ヘ）  ボックス（７）の前側と上側のカバー（６）を開いて足を入れ、ボックス（１）の上面突起部分に足を置いた後、それぞれのカバー（６）を閉めて密封状態とし、次に温風機（２）の電源スイッチ（１０）を入れ温風をボックス（１）の全部の空気口（４）から吹き出さす。このとき足は足裏のつぼを刺激または乾燥さすため、ボックス（１）の上面部分で踏み動かす。
（ト）  また、この温風機を机以外で使用するときはボックス（７）全体を移設しても良く、あるいはボックス（７）からボックス（１）だけを取り出してそのボックス（１）だけを単独使用しても良い。
（チ）  さらに、乾燥機能を利用して湿った衣類等を乾燥さすときは、ボックス（７）の上部分に設けたハンガー掛棒（９）を利用し、洗濯物等をかける。
【発明の効果】
【０００６】  このような構造であるから次のような多くの効果がある。
（イ）  一旦、スイッチを入れると、ボックス（１）の多数の突起間から一斉に温風が吹き出すため、真っ先に足先や足裏が暖まり、しかもこの温風はこのボックス（７）内に溜まって拡散しないためボックス全体がすぐに暖まり、足全体もごく短時間で暖められることから、いわば机下のピンポイントの暖房設備となり、きわめて熱効率がよく省エネルギー効果も高い。まさに「頭寒足熱」の設備となる。
（ロ）  同時に、ボックス（１）の板面上にはいろいろな形状の突起が埋め込まれているため、机に座って足をその突起上に置くだけで自然に足裏のいろいろなつぼが刺激されかつマッサージされるため、あるいは外反母趾等の改善にも効果を発揮し、従来にないより健康志向の強い暖房機となる。
（ハ）  また、この暖房機は暖房以外に通風機能や温度調節機能等も付いているため、冬だけでなく一年を通じて利用でき、たとえば足指や足裏が湿った状態の時などには、きわめて短時間で乾燥させることができることから、足先は爽快となり、特に足指や足裏に水虫等の疾患がある場合には短期間での改善効果が期待できる。
（ニ）  この暖房機が設置された机に座れば、その内部空間はゆったりと広く、足元はたちどころに温まり、かつ足裏・足先は指圧と乾燥効果で爽快な気分となるため、寒い冬場でも机に向かう抵抗感は少なくなって、むしろ逆に机に座る習慣が付くことによって、結果として勉学への誘引効果をもたらすことが期待できる。
（ホ）  この机下暖房機は指圧機能付きのボックス（１）が内蔵されていることから、きちっと椅子に座る習慣がつくため、いつの間にか子供たちはもちろん大人でも自然に姿勢がよくなる。
（ヘ）  この机下暖房機は安全装置も付いて安全であることはもちろんであり、また電気式のため長時間使用しても空気は汚れず、きわめてクリーンである。
（ト）  この暖房機は机下だけの使用に限らず、必要ならば別の場所に移設して利用することもできるし、またこの暖房機に内臓されているボックス（１）だけを取り出してそれ単独で利用することも可能であり、利用方法が極めて弾力的にできている。
（チ）  ちょっとした衣類等を乾かす場合にはこの温風機能が利用でき、ボックス（７）の上部分にハンガー掛棒（９）を設置するならば、簡易の衣類乾燥機に早や変わりし、湿った衣類等も極めて短時間で乾かすことが可能であり、天気の悪い日や寒い日にはその威力を発揮する。
【図面の簡単な説明】
【図１】本発明の斜視図
【図２】本発明の断面図
【符号の説明】
（ア）ボックス
（イ）温風機
（ウ）突起
（エ）空気口
（オ）フレーム
（カ）カバー
（キ）ボックス
（ク）ファスナー
（９）ハンガー掛棒
（１０）電源スイッチ
【図１】
2006084167.tif 000003
【図２】
2006084167.tif 000004